(57)【要約】      （修正有）【課題】育児者の両手がふさがることなく外出・育児が可能になるオムツポーチを提供すること。【解決手段】オムツ等を収容するオムツポーチは、ポーチ本体１とこのポーチ本体１の両側から延びる取り付け紐５と、抱っこ紐２５に取り付けられるポーチ本体１に付属する支持リング１３とを備えている。取り付け紐５の先端に取り付けられたスナップボタン７を抱っこ紐２５に取り付けられた支持リング１３のスナップボタン１９に取り外し可能に接続する。【選択図】図４
2017196370.tif 000002
【特許請求の範囲】
【請求項１】
使用者のベルトに取り付けられてオムツ等を収容するオムツポーチであって、ポーチ本体と、このポーチ本体の両側から延びる一対の取り付け紐と、それぞれの取り付け紐の先端に設けられた取り付け部材と、前記取り付け紐の前記取り付け部材と着脱可能に連結される連結部を有し、前記ベルトに装着される一対の支持リングとを備えたことを特徴とするオムツポーチ。
【請求項２】
前記ポーチ本体の裏面には前記取り付け紐を収容するポケットが設けられていることを特徴とする請求項１記載のオムツポーチ。
【発明の詳細な説明】
【技術分野】
【０００１】  本発明は抱っこ紐、すなわち乳幼児を抱っこするときに使用する補助具に直接取り付けることのできるオムツポーチに関することである。
【背景技術】
【０００２】  オムツ収納用ポーチは乳幼児との外出時に持ち歩くアイテムの一つであるが（例えば特許文献１参照）、外出用の鞄等に入れて持ち歩き、オムツ交換時にその鞄から取り出し使用している。
【先行技術文献】
【特許文献】
【０００３】
【特許文献１】  特開２００２−１０８１８号公報
【発明の概要】
【発明が解決しようとする課題】
【０００４】  問題点は乳幼児との外出時にオムツポーチを入れた鞄等を持つことで、外出・育児時に手がふさがってしまうことである。【０００５】  そこで本発明は乳幼児を抱っこする抱っこ紐に直接取り付けられる構造にしたことで、育児者の両手がふさがることなく外出・育児が可能になるオムツポーチを提供することを目的としている。
【課題を解決するための手段】
【０００６】  この目的を達成するための本発明のオムツポーチは、使用者のベルトに取り付けられてオムツ等を収容するポーチであって、ポーチ本体と、このポーチ本体の両側から延びる一対の取り付け紐と、それぞれの取り付け紐の先端に設けられた取り付け部材と、前記取り付け紐の前記取り付け部材と着脱可能に連結される連結部を有し、前記ベルトに装着される一対の支持リングとを備えたものである。ポーチ本体の裏面には前記取り付け紐を収容するポケットが設けられていることが好ましい。取り付け紐は帯状のものを含む。
【発明の効果】
【０００７】  本発明のオムツポーチは、抱っこ紐に取り付けて使用することができるので、ポーチを入れておく鞄が不必要となる。また、抱っこ紐から簡単に取り外し、通常のポーチとしても使用できる。取り付け紐を収容するポケットを設ければ通常のポーチとして使い勝手がよくなる。
【図面の簡単な説明】
【０００８】
【図１】ポーチ本体１の斜視図である。
【図２】ポーチ本体１を開口した時の斜視図である。
【図３】ポーチ１に付属する支持リング１３の展開図と抱っこ紐２５に取り付ける場合を説明する図である。
【図４】ポーチ本体１と支持リング１３とを連結させる説明図である。
【図５】ポーチ本体１を正面から見た図である。
【図６】ポーチ本体１を真後ろから見た図である。
【図７】実際にポーチ１を装着した際のイメージ図である。
【発明を実施するための形態】
【０００９】  図１はポーチ本体１の斜視図である。ポーチ本体１は、直方体状の収容部３と、この収容部３の両端から延びる一対の取り付け紐５とを備え、それぞれの取り付け紐５の先端部内側にはスナップボタン７が取り付けられている。収容部３の前側上方は開口部９として形成され、この開口部９を開閉するようにファスナー１１が設けられている（図１の（ａ）参照・図２も参照）。尚、改善点としてスナップボタン７は取り付け紐５の先端部より収容部３寄りに取り付けられた方がより良い（図１の（ｂ）参照）。
【００１０】  図２はポーチ本体１を開口した時の斜視図である。ポーチ本体１は、収容部３の前側上方の開口部９をファスナー１１により開閉することができ、そこから物の出し入れを行うことができる。
【００１１】  図３はポーチ１に付属する支持リング１３の展開図と抱っこ紐２５に取り付ける場合を説明する図である。支持リング１３はベルト１５の表側に一方側のマジックテープ１７とスナップボタン１９が縫い付けられており、裏側には他方側のマジックテープ２１と滑り止めゴム２３が縫い付けられている（図３の（ａ）参照）。それを抱っこ紐２５の腰ベルト部に巻き付けて固定するには、例えば支持リング１３を抱っこ紐２５に当てがい、支持リング１３の両端部を抱っこ紐２５に巻き付けて（図３の（ｂ）参照）、表側の一方側のマジックテープ１７と裏側の他方側のマジックテープ２１とを抱っこ紐２５を囲むようにして接続する（図３の（ｃ）・（ｄ）参照）。
【００１２】  図４はポーチ本体１と支持リング１３とを連結させる説明図である。ポーチ本体１から延びる取り付け紐５の先端についたスナップボタン７を、抱っこ紐２５の腰ベルト部に取り付けた支持リング１３についているスナップボタン１９と連結するすることで、ポーチ本体１と抱っこ紐２５を一体化することができる。支持リング１３は抱っこ紐２５に間隔を設けて２つ取り付けられていて、一方の支持リング１３にポーチ本体１の一方の取り付け紐５を接続し、他方の支持リング１３にポーチ本体１の他方の取り付け紐を接続する（図４の（ａ）・（ｂ）参照）。それぞれの支持リング１３は滑り止めゴム２３により抱っこ紐上を簡単にスライドしてずれないように構成されている（図３の（ｄ）参照）。尚、スナップボタン７が取り付け紐５の先端より内側に取り付けられた場合、取り付け紐５の先端部を支持リング１３に巻き付けて折り返すことにより、接続部の固定がより強固になり外れづらくなる（図４の（ｃ）参照）。この場合には、取り付け紐５の折り返した先端部が滑り止めゴム２３の全体にかぶらないように構成しておくことが好ましい。
【００１３】  図５はポーチ本体１を正面から見た図である。ポーチ本体１の直方体状の収容部３の上方には持ち運びしやすいよう取っ手２７がついている。
【００１４】  図６はポーチ本体１を真後ろから見た図である。ポーチ本体１の直方体状の収容部３の後ろには取り付け紐５を収容するためのポケット２９が取り付けられている（図６の（ａ）参照）。そのポケット２９の左右は開口部となっており、左右からそれぞれ取り付け紐５を中に収納できるようになっている（図６の（ｂ）参照）。この様にしてポーチを抱っこ紐から取り外して通常のポーチとして使用できる（図６の（ｃ）参照）。
【００１５】  図７は実際にポーチ１を装着した際のイメージ図である。ポーチ１は正面に来るように抱っこ紐２５に取り付けられているのでポーチ１を手に持つ必要はなく、しかも簡単にポーチ１からオムツを取り出すことができる。
【図１】
2017196370.tif 000003
【図２】
2017196370.tif 000004
【図３】
2017196370.tif 000005
【図４】
2017196370.tif 000006
【図５】
2017196370.tif 000007
【図６】
2017196370.tif 000008
【図７】
2017196370.tif 000009